(57)【要約】      （修正有）【課題】雨あるいは運動等で靴が濡れると靴は変形し早く傷みカビ等の原因にもなり、靴を濡れたまま履くと臭いも残るし鬱陶しいものである。そこで靴形状保持、抗菌、乾燥、消臭及びブーツの皮等の皺を防ぐ多機能の役目を果たす靴形状保持具を提案する。【解決手段】外殻１の中に開口部９から充填物内袋１０を挿入して構成された靴形状保持具を靴の中に嵌入すれば靴の形状保持と抗菌、乾燥、消臭と一度に四つの役目を、またブーツ用としては外殻１の平坦面７上に設けられた係止受口１５、１５の上に円筒体１６下端当接脱着可能な馬蹄形鍔１７、１７を差し込み、外殻１の平坦面７に立接セットしてブーツの中に嵌入すれば足の脛に相当する部分の中折れが無くなり皮等の皺を防ぐことを合わせ持ち多機能の役目を果たすことで解決した。【選択図】図５
2007037769.tif 000002
【特許請求の範囲】
【請求項１】
外殻（１）は抗菌剤が練り込まれた全体がメッシュ（２）状の多角形で多数の小穴（３）を配した軟質の合成樹脂で射出成型により、靴の内側面に沿った形状の先端（４）から中央部靴の甲に相当する一番高い部分（５）まで高く成され、一番高い部分（５）から後方へは除々に傾斜面（６）が下向きに一番高い部分（５）より１／５の高さまで下降し、以降平坦面（７）が踵部（８）まで保ち後方端は細長く丸められ、上記外殻（１）上面の幅方向中心線に沿って先端（４）から踵部（８）まで開口部（９）の口唇が重なって閉じるように成され、この開口部（９）から充填物を充填し抗菌処理をした充填物内袋（１０）を挿入し構成されたことを特徴とする靴形状保持具。
【請求項２】
上記請求項１記載の外殻（１）の中に挿入されている充填物内袋（１０）内には祖粒状の乾燥剤（１１）、消臭剤（１２）とそば殻（１３）、小豆（１４）が混合して詰められていることを特徴とする上記請求項１記載の靴形状保持具。
【請求項３】
上記請求項１記載の靴形状保持具はブーツ用として平坦面（７）には開口部（９）を隔てて左右に一対の係止受口（１５、１５）が設けられ、その上には合成樹脂で上端の径が大きく下端の径が小さい円筒体（１６）を設け、その下端に板状で外殻（１）に対して前方中心が二つ割りで一対の馬蹄形鍔（１７、１７）を当接し、係止受口（１５、１５）に円筒体（１６）下端当接脱着可能な鍔（１７、１７）を差し込めばブーツ用にも適用できることを特徴とする上記請求項１記載の靴形状保持具。
【発明の詳細な説明】
【技術分野】
【０００１】
本発明は雨又は運動することによって濡れた靴の変形防止を主目的とした靴形状保持と共に抗菌、乾燥、消臭並びにブーツの皮等の皺を防ぐ役目を果たす靴形状保持具に関する。
【背景技術】
【０００２】
実開平４‐１５４０７公報に靴の形状保持具に乾燥、消臭の効果を提案されているが全体で一体化されているため乾燥、消臭の効力が無くなった時に交換ができず廃棄しなければならないし、抗菌及びブーツの皮等の皺を防ぐ役目を果たしたものではない。
【０００３】
【特許文献１】実開平４‐１５４０７公報
【発明の開示】
【発明が解決しようとする課題】
【０００４】
本発明は上記課題を解決するために発明されたものである。
【課題を解決するための手段】
【０００５】
上記請求項１記載の靴形状保持具の外殻１は抗菌剤が練り込まれた全体がメッシュ２状の多角形で多数の小穴３を配した軟質の合成樹脂で射出成型により、靴の内側面に沿った形状の先端４から中央部靴の甲に相当する一番高い部分５まで高く成され、一番高い部分５から後方へは除々に傾斜面６が下向きに一番高い部分５より１／５の高さまで下降し、以降平坦面７が踵部８まで保ち後方端は細長く丸められ、上記外殻１上面の幅方向中心線に沿って先端４から踵部８まで開口部９の口唇が重なって閉じるように成され、この開口部９から充填物を充填し抗菌処理をした充填物内袋１０を挿入し構成されたことを特徴とする。
上記請求項１記載の靴形状保持具の外殻１は例えば果物カゴ等に使用されている軟質の合成樹脂でもよい。
上記請求項２記載の靴形状保持具は外殻１の中に挿入されている充填物内袋１０内には祖粒状の乾燥剤１１、消臭剤１２とそば殻１３、小豆１４が混合して詰められている。
上記請求項２記載の靴形状保持具は外殻１の中に挿入している充填物内袋１０内の混合剤はそれぞれの効力が無くなれば充填物内袋１０ごと交換できることを特徴とする。
上記請求項３記載の靴形状保持具はブーツ用として平坦面７には開口部９を隔てて左右に一対の係止受口１５、１５が設けられ、その上には合成樹脂で上端の径が大きく下端の径が小さい円筒体１６を設け、その下端に板状で外殻１に対して前方中心が二つ割り一対の馬蹄形鍔１７、１７を当接し、係止受口１５、１５に円筒体１６下端当接脱着可能な鍔１７、１７を差し込めばブーツ用にも適用できることを特徴とする。
上記請求項３記載の靴形状保持具は係止受口１５、１５にとして、例えば鍔１７，１７が水平に差し込まれるようになされた断面コ字状の合成樹脂でも良い。
【発明の効果】
【０００６】
本発明の効果として本発明１（以下本発明１という）を用いれば外殻１は抗菌剤が練り込まれた全体がメッシュ２状の多角形で多数の小穴３を配した軟質の合成樹脂で射出成型により、靴
の内側面に沿った形状の先端４から中央部靴の甲に相当する一番高い部分５まで高く成され、一番高い部分５から後方へは除々に傾斜面６が下向きに一番高い部分５より１／５の高さまで下降し、以降平坦面７が踵部８まで保ち後方端は細長く丸められ、上記外殻１上面の幅方向中心線に沿って先端４から踵部８まで開口部９の口唇が重なって閉じるように成され、この開口部９から充填物を充填し抗菌処理をした充填物内袋１０を外殻１に挿入し靴の中に嵌入すれば靴形状保持と、抗菌、乾燥、消臭の一度に四つの役目を果たすことができる。
本発明の効果として本発明２（以下本発明２という）を用いればさらに外殻１は全体がメッシュ２状の多角形で多数の小穴３を配した軟質の合成樹脂で射出成型されたことの伸縮性を生かし、充填物内袋１０を外殻１の中に挿入して靴の中に嵌入し踵部８端が靴の踵部分に当たれば踵部８の端を折り曲げて立ち上がり部分に沿わすことにより靴のサイズは少数の種類で対応ができる。
本発明の効果として本発明３（以下本発明３という）を用いればさらに充填物内袋１０内に充填されている祖粒状の乾燥剤１１、消臭剤１２とそば殻１３、小豆１４は乾燥、消臭それぞれの効力が無くなれば充填物内袋１０ごと交換ができる。
本発明の効果として本発明４（以下本発明４という）を用いればさらに平坦面７には開口部９を隔てて左右に一対の係止受口１５、１５が設けられ、その上には合成樹脂で上端の径が大きく下端の径が小さい円筒体１６を設け、その下端に板状で外殻１に対して前方中心が二つ割り一対の馬蹄形鍔１７、１７を当接し、係止受口１５、１５に円筒体１６下端当接脱着可能な鍔１７、１７を差し込み外殻１の平坦面７に立接セットしてブーツの中に差し込めば足の脛に相当する部分の中折れが無くなり皮等の皴を防ぐ役目を果たすことができる。
【発明を実施するための最良の形態】
【０００７】
以下本発明の実施例について図面を用いて説明する。
【実施例１】
【０００８】
図１は本発明靴形状保持具の外殻１は抗菌剤が練り込まれた全体がメッシュ２状の多角形で多数の小穴３を縦横１０ｍｍ幅に配した軟質の塩ビ製合成樹脂を射出成型によりメッシュ２状の線に相当する部分は幅２ｍｍ、厚み１ｍｍ断面が楕円形で、靴の内側面に沿った形状の先端４から中央部靴の甲に相当する一番高い部分５まで高く成され、一番高い部分５から後方へは除々に傾斜面６が下向きに一番高い部分５より１／５の高さまで下降し、以降平坦面７が踵部８まで保ち後方端は細長く丸められ、上記外殻１上面の幅方向中心線に沿って先端４から踵部８まで開口部９の口唇が重なって閉じるように成され、この開口部９から外殻１と同じ形状の充填物を充填して密封し抗菌処理をしたナイロンポリエステル繊維織物又は糸入り紙製の充填物内袋１０を挿入し構成された外殻１の実施例を示す全体図である。
【実施例２】
【０００９】
図２は本発明の靴形状保持具の外殻１上面中心線の先端４から踵部８までの開口部９及び平坦面７上の係止受口１５，１５を示す実施例示す平面図である。
【実施例３】
【００１０】
図３は本発明の靴形状保持具の外殻１とその中に挿入されている充填物内袋１０内の祖粒状の乾燥剤１１、消臭剤１２とそば殻１３、小豆１４の混合物を充填し密封した実施例を示す断面図である。
【実施例４】
【００１１】
図４は本発明の靴形状保持具の外殻１を靴の中に嵌入し靴形状保持、抗菌、乾燥、消臭をしている実施例を示す姿図である。
【実施例５】
【００１２】
図５は本発明の靴形状保持具をブーツ用として平坦面７には開口部９を隔てて左右に一対の上記外殻１と同時に射出成型された幅１０ｍｍ、外側周辺長さ５０ｍｍ、断面コ字状空間高さ３ｍｍの馬蹄形係止受口１５、１５が設けられ、その上にはポリププラスチックで成型された上端の径が１００ｍｍ、下端の径が４５ｍｍ、長さ５００ｍｍの円筒体１６を設け、その下端に板状で外殻１に対して前方中心が二つ割り一対のそれぞれ外周が８ｍｍ幅、長さ６０ｍｍ、厚み２ｍｍの馬蹄形鍔１７、１７を当接し、係止受口１５、１５に円筒体１６下端当接脱着可能な鍔１７、１７を差し込み外殻１の平坦面７に立接セットしてブーツの中に嵌入すれば足の脛に相当する部分の中折れが無くなり皮等の皴を防ぐ役目を果たしたことの実施例を示す姿図である。
【産業上の利用可能性】
【００１３】
本発明は雨又は運動をすることによって濡れた靴の変形を防止する靴形状保持と共に抗菌、乾燥、消臭並びにブーツの皮等の皺を防ぐことを合わせ多機能の役目を果たし靴形状保持具としての便宜が向上する。
【図面の簡単な説明】
【００１４】
【図１】本発明の靴形状保持具の全体を示した説明図である。（実施例１）
【図２】本発明の靴形状保持具、外殻１の平面を示した説明図である。（実施例２）
【図３】本発明の靴形状保持具、外殻１のＡ−Ａ‘断面を示した説明図である。（実施例３）
【図４】本発明の靴形状保持具、外殻１に充填物内袋１０を挿入セットし靴に嵌入したことを示した説明図である。（実施例４）
【図５】本発明の靴形状保持具は外殻１の平坦面７に円筒体１６を立接セットしブーツに嵌入したことを示した説明図である。（実施例５）
【符号の説明】
【００１５】
１  外殻
２  メッシュ
３  小穴
４  先端
５  一番高い部分
６  傾斜面
７  平坦面
８  踵部
９  開口部
１０  充填物内袋
１１  乾燥剤
１２  消臭剤
１３  そば殻
１４  小豆
１５、１５  係止受口
１６  円筒体
１７、１７  鍔
【図１】
2007037769.tif 000003
【図２】
2007037769.tif 000004
【図３】
2007037769.tif 000005
【図４】
2007037769.tif 000006
【図５】
2007037769.tif 000007